(57)【要約】【課題】支軸がストッパー機能を有していながら、芯を有しないトイレットペーパーにも対応可能なトイレットペーパーホルダーを提供する。【解決手段】トイレットペーパーホルダー１は、芯を有しないトイレットペーパーを保持するトイレットペーパーホルダーであって、トイレットペーパーが取り付けられる支軸１０を備えている。支軸１０は、トイレットペーパーの中心部の隙間に挿通される主軸部１２と、主軸部１２に対して着脱自在に連結され、主軸部１２に連結された状態において主軸部１２の延在方向と交わる方向に延在する規制部１４とを有する。【選択図】図１
2018038916.tif 000002
【特許請求の範囲】
【請求項１】
芯を有しないトイレットペーパーを保持するトイレットペーパーホルダーであって、
前記トイレットペーパーが取り付けられる支軸を備え、
前記支軸は、
前記トイレットペーパーの中心部の隙間に挿通される主軸部と、
前記主軸部に対して着脱自在に連結され、前記主軸部に連結された状態において当該主軸部の延在方向と交わる方向に延在する規制部と、を有することを特徴とするトイレットペーパーホルダー。
【請求項２】
請求項１に記載のトイレットペーパーホルダーにおいて、
前記主軸部は、水平方向に延在するトイレットペーパーホルダー。
【請求項３】
請求項１又は２に記載のトイレットペーパーホルダーにおいて、
前記規制部は、前記主軸部に連結された状態において、当該主軸部の前記延在方向と直交する方向に延在するトイレットペーパーホルダー。
【請求項４】
請求項１乃至３の何れかに記載のトイレットペーパーホルダーにおいて、
前記規制部は、前記主軸部の先端部と嵌合する穴を有しており、当該穴に前記主軸部の前記先端部が挿入された状態で当該主軸部に連結されるトイレットペーパーホルダー。
【請求項５】
請求項４に記載のトイレットペーパーホルダーにおいて、
前記主軸部の前記先端部は、角棒状をしているトイレットペーパーホルダー。
【請求項６】
請求項５に記載のトイレットペーパーホルダーにおいて、
前記主軸部における前記先端部以外の部分は、丸棒状をしているトイレットペーパーホルダー。
【請求項７】
請求項４乃至６の何れかに記載のトイレットペーパーホルダーにおいて、
前記主軸部の前記先端部と前記規制部の前記穴との間には、磁力による引き合う力が働くトイレットペーパーホルダー。
【請求項８】
請求項１乃至７の何れかに記載のトイレットペーパーホルダーにおいて、
前記主軸部の先端部は、先細りの形状をしているトイレットペーパーホルダー。
【請求項９】
請求項１乃至８の何れかに記載のトイレットペーパーホルダーにおいて、
前記主軸部の径は、２ｍｍ以上１０ｍｍ以下であるトイレットペーパーホルダー。
【請求項１０】
請求項１乃至９の何れかに記載のトイレットペーパーホルダーにおいて、
前記主軸部の長さは、１１７ｍｍ以上１２０ｍｍ以下であるトイレットペーパーホルダー。
【請求項１１】
請求項１乃至１０の何れかに記載のトイレットペーパーホルダーにおいて、
前記規制部の径は、前記主軸部の径よりも大きいトイレットペーパーホルダー。
【請求項１２】
請求項１乃至１１の何れかに記載のトイレットペーパーホルダーにおいて、
前記規制部の長さは、２０ｍｍ以上３０ｍｍ以下であるトイレットペーパーホルダー。
【請求項１３】
請求項１乃至１２の何れかに記載のトイレットペーパーホルダーにおいて、
壁面に固定される基底部と、
一端部が前記基底部に接続されるとともに、他端部が前記支軸の後端に接続されたアーム部と、を備えるトイレットペーパーホルダー。
【請求項１４】
請求項１３に記載のトイレットペーパーホルダーにおいて、
前記アーム部の延在方向は、前記主軸部の前記延在方向に対して垂直であるトイレットペーパーホルダー。
【請求項１５】
請求項１３又は１４に記載のトイレットペーパーホルダーにおいて、
前記アーム部の径は、前記主軸部の径よりも大きいトイレットペーパーホルダー。
【請求項１６】
請求項１３乃至１５の何れかに記載のトイレットペーパーホルダーにおいて、
一端部が前記規制部に対して着脱自在に連結されるとともに、他端部が前記基底部に対して着脱自在に連結される補強部材を備えるトイレットペーパーホルダー。
【請求項１７】
請求項１６に記載のトイレットペーパーホルダーにおいて、
前記補強部材は、当該補強部材の前記一端部が前記規制部に連結された状態において、当該規制部の延長線上に延在するトイレットペーパーホルダー。
【請求項１８】
請求項１６又は１７に記載のトイレットペーパーホルダーにおいて、
前記補強部材の径は、前記規制部の径に等しいトイレットペーパーホルダー。
【請求項１９】
請求項１６乃至１８の何れかに記載のトイレットペーパーホルダーにおいて、
前記補強部材の長さは、前記規制部の長さよりも大きいトイレットペーパーホルダー。
【請求項２０】
請求項１６乃至１９の何れかに記載のトイレットペーパーホルダーにおいて、
前記規制部及び前記補強部材は、同一の色を有するトイレットペーパーホルダー。
【請求項２１】
請求項２０に記載のトイレットペーパーホルダーにおいて、
前記主軸部、前記基底部及び前記アーム部は、同一の色を有し、
前記規制部及び前記補強部材の色は、前記主軸部、前記基底部及び前記アーム部の色と異なるトイレットペーパーホルダー。
【請求項２２】
請求項１６乃至２１の何れかに記載のトイレットペーパーホルダーにおいて、
前記規制部及び前記補強部材は、同一の素材からなるトイレットペーパーホルダー。
【請求項２３】
請求項２２に記載のトイレットペーパーホルダーにおいて、
前記主軸部、前記基底部及び前記アーム部は、同一の素材からなり、
前記規制部及び前記補強部材の素材は、前記主軸部、前記基底部及び前記アーム部の素材と異なるトイレットペーパーホルダー。
【請求項２４】
請求項１３乃至２３の何れかに記載のトイレットペーパーホルダーにおいて、
前記基底部に対して可動に連結され、前記支軸に取り付けられた前記トイレットペーパーを上方から覆う蓋部を備えるトイレットペーパーホルダー。
【請求項２５】
請求項２４に記載のトイレットペーパーホルダーにおいて、
前記蓋部は、当該蓋部の後端部を中心として回動可能であるトイレットペーパーホルダー。
【請求項２６】
請求項２４又は２５に記載のトイレットペーパーホルダーにおいて、
前記蓋部の先端には、前記トイレットペーパーを切断するための刃が設けられているトイレットペーパーホルダー。
【発明の詳細な説明】
【技術分野】
【０００１】
本発明は、芯を有しないトイレットペーパーを保持するトイレットペーパーホルダーに関する。
【背景技術】
【０００２】
従来のトイレットペーパーホルダーとしては、例えば特許文献１に記載されたものがある。同文献に記載されたトイレットペーパーホルダーは、ロール状のトイレットペーパーを支持する支軸を備えている。トイレットペーパーは、ロールの中心部に円筒状の芯が設けられたものである。支軸は、トイレットペーパーの芯内に挿通された状態で、当該トイレットペーパーを回転自在に支持するものである。
【先行技術文献】
【特許文献】
【０００３】
【特許文献１】特開２００８−１７３２６８号公報
【発明の概要】
【発明が解決しようとする課題】
【０００４】
かかる支軸の中には、図１４に示すように、トイレットペーパーの脱落を防止するためのストッパー機能を有するものがある。支軸１００は、水平方向に延びる主軸部１０２と、主軸部１０２と直交するように延びる規制部１０４とからなる。図１５に示すように、トイレットペーパー１１０は、その芯１１２内に支軸１００の主軸部１０２が挿通されるように取り付けられる。このとき、規制部１０４は、芯１１２の外に位置し、トイレットペーパー１１０が主軸部１０２から脱落するのを防止するストッパーとして機能する。
【０００５】
ところで、芯を有しないトイレットペーパー（コアレスタイプ）においては、芯を有するトイレットペーパーに比して、中心部の隙間が格段に小さい。それゆえ、上述の支軸１００の場合、その太さを充分に小さくしたとしても、規制部１０４が邪魔になるため、芯を有しないトイレットペーパーを取り付けられないという問題がある。
【０００６】
本発明は、上記課題に鑑みてなされたものであり、支軸がストッパー機能を有していながら、芯を有しないトイレットペーパーにも対応可能なトイレットペーパーホルダーを提供することを目的とする。
【課題を解決するための手段】
【０００７】
本発明によるトイレットペーパーホルダーは、芯を有しないトイレットペーパーを保持するトイレットペーパーホルダーであって、上記トイレットペーパーが取り付けられる支軸を備え、上記支軸は、上記トイレットペーパーの中心部の隙間に挿通される主軸部と、上記主軸部に対して着脱自在に連結され、上記主軸部に連結された状態において当該主軸部の延在方向と交わる方向に延在する規制部と、を有することを特徴とする。
【０００８】
このトイレットペーパーホルダーにおいては、主軸部に対して着脱自在な規制部を有する支軸が設けられている。規制部は、主軸部に連結された状態において、主軸部の延在方向と交わる方向に延在する。このため、主軸部に規制部を連結することにより、規制部を、トイレットペーパーが主軸部から脱落するのを防止するストッパーとして機能させることができる。一方、主軸部から規制部を取り外すことにより、トイレットペーパーの取付時に規制部が邪魔にならないようにすることができる。
【発明の効果】
【０００９】
本発明によれば、支軸がストッパー機能を有していながら、芯を有しないトイレットペーパーにも対応可能なトイレットペーパーホルダーが実現される。
【図面の簡単な説明】
【００１０】
【図１】本発明によるトイレットペーパーホルダーの一実施形態を示す正面図である。
【図２】図１のトイレットペーパーホルダーを示す側面図である。
【図３】支軸１０にトイレットペーパー９２が取り付けられた様子を示す正面図である。
【図４】規制部１４を示す側面図である。
【図５】規制部１４を示す平面図である。
【図６】トイレットペーパーホルダー１において蓋部４０が閉じた様子を示す側面図である。
【図７】補強部材５０を示す正面図である。
【図８】補強部材５０を示す底面図である。
【図９】支軸１０にトイレットペーパー９２を取り付ける方法の一例を説明するための図である。
【図１０】支軸１０にトイレットペーパー９２を取り付ける方法の一例を説明するための図である。
【図１１】支軸１０にトイレットペーパー９２を取り付ける方法の一例を説明するための図である。
【図１２】支軸１０にトイレットペーパー９２を取り付ける方法の一例を説明するための図である。
【図１３】支軸１０（主軸部１２）の変形例を説明するための正面図である。
【図１４】従来のトイレットペーパーホルダーにおける支軸１００を示す正面図である。
【図１５】支軸１００にトイレットペーパー１１０が取り付けられた様子を示す正面図である。
【発明を実施するための形態】
【００１１】
以下、図面を参照しつつ、本発明の実施形態について詳細に説明する。なお、図面の説明においては、同一要素には同一符号を付し、重複する説明を省略する。
【００１２】
図１は、本発明によるトイレットペーパーホルダーの一実施形態を示す正面図である。また、図２は、図１のトイレットペーパーホルダーを示す側面図である。トイレットペーパーホルダー１は、芯を有しないトイレットペーパー（以下、単に「トイレットペーパー」という。）を保持するトイレットペーパーホルダーであって、トイレットペーパーが取り付けられる支軸１０を備えている。支軸１０は、当該支軸１０に取り付けられたトイレットペーパーを回転自在に支持する。
【００１３】
支軸１０は、主軸部１２及び規制部１４を有している。主軸部１２は、トイレットペーパーの中心部の隙間に挿通される部分である。主軸部１２は、トイレットペーパーの中心部の隙間に挿通された状態において、当該隙間を貫通する。主軸部１２は、棒状をしている。具体的には、主軸部１２の先端部１２ａが角棒状をしており、主軸部１２における先端部１２ａ以外の部分が丸棒状をしている。すなわち、主軸部１２の先端部１２ａの断面（主軸部１２の延在方向に垂直な断面）は多角形であり、主軸部１２における先端部１２ａ以外の部分の断面は円形である。本実施形態において先端部１２ａの断面は、四角形である。
【００１４】
主軸部１２は、水平方向に延在している。主軸部１２の径は、２ｍｍ以上１０ｍｍ以下であることが好ましく、２ｍｍ以上５ｍｍ以下であることがより好ましい。また、主軸部１２の長さは、１１７ｍｍ以上１２０ｍｍ以下であることが好ましい。主軸部１２の材料としては、例えば、金属又はプラスチックを用いることができる。
【００１５】
規制部１４は、主軸部１２に対して着脱自在に連結されている。ここで、着脱自在とは、主軸部１２に対する規制部１４の取付け及び取外しをユーザが道具を用いることなく手で容易に行えるということである。図１及び図２においては、規制部１４が主軸部１２に取り付けられた状態、すなわち規制部１４が主軸部１２に連結された状態（以下「連結状態」という。）を示している。規制部１４は、棒状をしている。具体的には、規制部１４は、角棒状をしている。規制部１４は、連結状態において、主軸部１２の延在方向と交わる方向に延在する。本実施形態において規制部１４は、主軸部１２の延在方向と直交する方向に延在する。このため、連結状態において支軸１０は、略Ｌ字状をしている。
【００１６】
図３に示すように、規制部１４は、主軸部１２がトイレットペーパー９２の隙間９３に挿通された状態において、隙間９３の外に位置する。すなわち、トイレットペーパー９２の使用時、主軸部１２及び規制部１４のうち主軸部１２のみが隙間９３に挿通された状態にある。同図においては、トイレットペーパーホルダー１を構成する部材のうち支軸１０（主軸部１２及び規制部１４）のみを示している。連結状態において規制部１４は、支軸１０に取り付けられたトイレットペーパーが主軸部１２の延在方向に沿って移動するのを規制することにより、当該トイレットペーパーが主軸部１２から脱落するのを防止する。規制部１４の径は、主軸部１２の径よりも大きい。規制部１４の長さは、２０ｍｍ以上３０ｍｍ以下であることが好ましい。規制部１４の材料としては、例えば、金属又はプラスチックを用いることができる。
【００１７】
図４及び図５は、それぞれ、規制部１４を示す側面図及び平面図である。規制部１４は、主軸部１２の先端部１２ａと嵌合する穴１４ａを有している。穴１４ａは、規制部１４の側面（主軸部１２に対向する面）に設けられている。穴１４ａの深さ方向（図４において紙面に垂直な方向）は、規制部１４の延在方向に対して垂直である。穴１４ａは、規制部１４の後端の近傍に位置する。穴１４ａの断面（穴１４ａの深さ方向に垂直な断面）は、主軸部１２の先端部１２ａの断面と略合同な形状を有している。本実施形態において穴１４ａの断面は、四角形である。規制部１４は、穴１４ａに主軸部１２の先端部１２ａが挿入された状態で、主軸部１２に連結される。
【００１８】
規制部１４の先端（上面）には、後述する補強部材５０の端部５０ａと嵌合する穴１４ｂが設けられている。穴１４ｂの深さ方向（図４における上下方向）は、規制部１４の延在方向に等しい。穴１４ｂの断面（穴１４ｂの深さ方向に垂直な断面）は、補強部材５０の端部５０ａの断面と略合同な形状を有している。本実施形態において穴１４ｂの断面は、四角形である。
【００１９】
図１及び図２に戻って、トイレットペーパーホルダー１は、支軸１０に加えて、基底部２０、アーム部３０、蓋部４０及び補強部材５０を備えている。基底部２０は、壁面９０（図２参照）に固定される部分である。基底部２０は、板状をしており、その板面が壁面９０に接するように固定されている。基底部２０の側面には、後述する補強部材５０の端部５０ｂと嵌合する穴２０ａが設けられている（図２参照）。穴２０ａの深さ方向（図２において紙面に垂直な方向）は、水平方向に等しい。穴２０ａの断面（穴２０ａの深さ方向に垂直な断面）は、補強部材５０の端部５０ｂの断面と略合同な形状をしている。本実施形態において穴２０ａの断面は、四角形である。
【００２０】
アーム部３０は、一端部が基底部２０に接続されるとともに、他端部が支軸１０（主軸部１２）の後端に接続されている。アーム部３０は、基底部２０から斜め下方に向かって延在している。アーム部３０の延在方向は、主軸部１２の延在方向に対して垂直である。アーム部３０の径は、主軸部１２の径よりも大きい。
【００２１】
蓋部４０は、基底部２０に対して可動に連結されている。蓋部４０は、その後端部（基底部２０との連結部）を中心として回動可能である。これにより、蓋部４０を開閉することが可能となっている。なお、図１及び図２においては、蓋部４０が開いた状態を示している。
【００２２】
図６に示すように、蓋部４０が閉じた状態では、支軸１０に取り付けられたトイレットペーパー９２の少なくとも一部を上方から覆う。このとき、蓋部４０の先端４０ａは、トイレットペーパー９２に接触する。先端４０ａには、トイレットペーパー９２を切断するための刃が設けられていてもよい。基底部２０、アーム部３０及び蓋部４０の材料としては、例えば、金属又はプラスチックを用いることができる。
【００２３】
補強部材５０は、一端部（端部５０ａ）が規制部１４に対して着脱自在に連結されるとともに、他端部（端部５０ｂ）が基底部２０に対して着脱自在に連結される。補強部材５０は、棒状をしている。具体的には、補強部材５０は、角棒状をしている。補強部材５０は、端部５０ａが規制部１４に連結された状態において、規制部１４の延長線上に延在する。補強部材５０の径は、規制部１４の径に等しい。補強部材５０の長さは、規制部１４の長さよりも大きい。補強部材５０の材料としては、例えば、金属又はプラスチックを用いることができる。
【００２４】
図７及び図８は、それぞれ、補強部材５０を示す正面図及び底面図である。補強部材５０の端部５０ａの径は、補強部材５０における端部５０ａ以外の部分の径よりも小さくなっている。このため、補強部材５０の端部５０ａは、突起状をしている。補強部材５０は、規制部１４の穴１４ｂに端部５０ａが挿入された状態で、規制部１４に連結される。補強部材５０の端部５０ｂは、直角に屈曲している。すなわち、補強部材５０の端部５０ｂの延在方向は、補強部材５０における端部５０ｂ以外の部分の延在方向に対して垂直である。補強部材５０は、端部５０ｂが基底部２０の穴２０ａに挿入された状態で、基底部２０に連結される。
【００２５】
規制部１４及び補強部材５０は、同一の色を有することが好ましい。さらに、主軸部１２、基底部２０及びアーム部３０が同一の色を有するとともに、規制部１４及び補強部材５０の色は、主軸部１２、基底部２０及びアーム部３０の色と異なるようにしてもよい。例えば、主軸部１２、基底部２０及びアーム部３０の色を銀色とし、規制部１４及び補強部材５０の色を金色とすることが考えられる。
【００２６】
規制部１４及び補強部材５０は、同一の素材からなることが好ましい。さらに、主軸部１２、基底部２０及びアーム部３０が同一の素材からなるとともに、規制部１４及び補強部材５０の素材は、主軸部１２、基底部２０及びアーム部３０の素材と異なるようにしてもよい。例えば、主軸部１２、基底部２０及びアーム部３０の素材をステンレスとし、規制部１４及び補強部材５０の素材をプラスチックとすることが考えられる。
【００２７】
図９〜図１２を参照しつつ、支軸１０にトイレットペーパー９２を取り付ける方法の一例を説明する。まず、図９に示すように、規制部１４及び補強部材５０がそれぞれ主軸部１２及び基底部２０から取り外された状態とする。このとき、規制部１４及び補強部材５０は、互いに連結されていてもよいし、連結されていなくてもよい。次に、図１０に示すように、主軸部１２を、その先端部１２ａの側からトイレットペーパー９２の隙間９３に挿入する。続けて、図１１に示すように、先端部１２ａが隙間９３の外に出るように、トイレットペーパー９２を主軸部１２の後端付近まで移動する。その後、図１２に示すように、規制部１４及び補強部材５０を互いに連結した上で、それぞれ主軸部１２及び基底部２０に連結することにより、トイレットペーパー９２の取付が完了する。
【００２８】
トイレットペーパーホルダー１の効果を説明する。トイレットペーパーホルダー１においては、主軸部１２に対して着脱自在な規制部１４を有する支軸１０が設けられている。規制部１４は、連結状態において、主軸部１２の延在方向と交わる方向に延在する。このため、主軸部１２に規制部１４を連結することにより、規制部１４を、トイレットペーパーが主軸部１２から脱落するのを防止するストッパーとして機能させることができる。一方、主軸部１２から規制部１４を取り外すことにより、トイレットペーパーの取付時に規制部１４が邪魔にならないようにすることができる。したがって、支軸１０がストッパー機能を有していながら、芯を有しないトイレットペーパーにも対応可能なトイレットペーパーホルダー１が実現されている。
【００２９】
支軸１０には、言うまでもなく、芯を有するトイレットペーパーも取り付けることができる。このようにトイレットペーパーホルダー１は、芯を有するトイレットペーパー及び芯を有しないトイレットペーパーの何れにも対応可能であるため、利便性に優れている。
【００３０】
規制部１４は、連結状態において、主軸部１２の延在方向と直交する方向に延在する。これにより、主軸部１２と規制部１４とのなす角が直角となるため、両者のなす角が鈍角である場合に比して、トイレットペーパーが主軸部１２から脱落するのをより確実に防ぐことができる。
【００３１】
規制部１４は、穴１４ａに主軸部１２の先端部１２ａが挿入された状態で、主軸部１２に連結される。これにより、主軸部１２と規制部１４との連結を容易かつ確実に行うことができる。
【００３２】
主軸部１２の先端部１２ａは、角棒状をしている。これにより、主軸部１２に連結された規制部１４が不必要に回転するのを防ぐことができる。
【００３３】
主軸部１２における先端部１２ａ以外の部分は、丸棒状をしている。これにより、当該部分が角棒状をしている場合に比して、支軸１０に取り付けられたトイレットペーパーを円滑に回転させやすくなる。
【００３４】
主軸部１２の径を小さくした方が、トイレットペーパーの中心部の隙間に主軸部１２を挿入しやすくなる。かかる観点から、主軸部１２の径は、１０ｍｍ以下であることが好ましく、５ｍｍ以下であることがより好ましい。他方、主軸部１２の径を小さくしすぎると、主軸部１２の強度を充分に確保することが難しくなる。かかる観点から、主軸部１２の径は、２ｍｍ以上であることが好ましい。
【００３５】
トイレットペーパーの幅は、ＪＩＳ規格で１１４ｍｍ前後とされている。それゆえ、主軸部１２の長さを１１７ｍｍ以上とした場合、殆ど全てのトイレットペーパーに支軸１０を適合させることができる。また、主軸部１２の長さを１２０ｍｍ以下とすることにより、使用時、支軸１０に取り付けられたトイレットペーパーが主軸部１２の延在方向に動くのを最小限に抑えることができる。
【００３６】
規制部１４の径は、主軸部１２の径よりも大きい。このことは、規制部１４の強度を高めるのに有利である。
【００３７】
トイレットペーパーの芯の内径は、ＪＩＳ規格で３８ｍｍ前後とされている。それゆえ、規制部１４の長さを３０ｍｍ以下とした場合、補強部材５０を取り外しさえすれば、連結状態のままでも、芯を有するトイレットペーパーを支軸１０に取り付けることが可能となる。また、規制部１４の長さを２０ｍｍ以上とすることにより、規制部１４のストッパー機能を充分に確保することができる。
【００３８】
トイレットペーパーホルダー１には、基底部２０が設けられている。これにより、壁面に対してトイレットペーパーホルダー１を安定的に固定しやすくなる。
【００３９】
トイレットペーパーホルダー１には、アーム部３０が設けられている。これにより、簡易な構成で、主軸部１２を壁面に対して平行に配置することができる。また、アーム部３０の径は、主軸部１２の径よりも大きい。このことは、アーム部３０の強度を高めるのに有利である。
【００４０】
トイレットペーパーホルダー１には、補強部材５０が設けられている。これにより、支軸１０の両端（主軸部１２の後端及び規制部１４の先端）が固定端となるため、トイレットペーパーを回転させる際、支軸１０をぶれにくくすることができる。上述のように、支軸１０は、中心部の隙間が小さい、芯を有しないトイレットペーパーが取り付けられるように設計されている。そのため、主軸部１２の径は、通常のトイレットペーパーホルダーにおける支軸の径よりも小さい。それゆえ、支軸１０の先端（規制部１４の先端）を自由端とした場合、トイレットペーパーを回転させる際に支軸１０がぶれやすくなる。この点、本実施形態においては、補強部材５０を設けることにより、かかる支軸１０のぶれを抑制している。
【００４１】
補強部材５０は、規制部１４及び基底部２０の双方に対して着脱自在である。このため、トイレットペーパーホルダー１は、規制部１４が主軸部１２に連結されるとともに、補強部材５０が規制部１４及び基底部２０から取り外された状態でも使用することが可能である。
【００４２】
補強部材５０は、その端部５０ａが規制部１４に連結された状態において、規制部１４の延長線上に延在する。このように規制部１４及び補強部材５０を一直線上に延在させることにより、トイレットペーパーホルダー１のデザイン性を向上させることができる。
【００４３】
補強部材５０の径は、規制部１４の径に等しい。この場合、規制部１４と補強部材５０との視覚的一体性を高めることができる。このことも、トイレットペーパーホルダー１のデザイン性の向上に資する。
【００４４】
規制部１４及び補強部材５０が同一の色を有する場合、両者の視覚的一体性を高めることができる。規制部１４及び補強部材５０が同一の素材からなる場合も、同様である。
【００４５】
主軸部１２、基底部２０及びアーム部３０が同一の色を有するとともに、規制部１４及び補強部材５０の色が主軸部１２、基底部２０及びアーム部３０の色と異なるようにした場合、トイレットペーパーの取付時に取り外される部材（規制部１４及び補強部材５０）と他の部材（主軸部１２、基底部２０及びアーム部３０等）とを視覚的に区別することができる。これにより、ユーザがトイレットペーパーの取付け方法を直感的に理解しやすくなる。主軸部１２、基底部２０及びアーム部３０が同一の素材からなるとともに、規制部１４及び補強部材５０の素材が主軸部１２、基底部２０及びアーム部３０の素材と異なるようにした場合も、同様である。
【００４６】
トイレットペーパーホルダー１には、蓋部４０が設けられている。これにより、支軸１０に取り付けられたトイレットペーパーに埃が付着しにくくすることができる。ただし、蓋部４０を設けることは、必須でない。
【００４７】
蓋部４０は、その後端部を中心として回動可能である。これにより、蓋部４０の開閉動作を容易に行うことができる。
【００４８】
蓋部４０の先端４０ａに刃を設けた場合、使用時にトイレットペーパーを任意の位置で切断しやすくなる。
【００４９】
本発明は、上記実施形態に限定されるものではなく、様々な変形が可能である。上記実施形態において、主軸部１２と規制部１４との連結箇所（主軸部１２の先端部１２ａと規制部１４の穴１４ａとの間）に、磁力による引き合う力が働くようにしてもよい。かかる構成は、例えば、主軸部１２の材料として鉄を用いるとともに穴１４ａの底面に磁石を配設することにより実現することができる。同様に、規制部１４と補強部材５０との連結箇所（規制部１４の穴１４ｂと補強部材５０の端部５０ａとの間）に磁力による引き合う力が働くようにしてもよいし、基底部２０と補強部材５０との連結箇所（基底部２０の穴２０ａと補強部材５０の端部５０ｂとの間）に磁力による引き合う力が働くようにしてもよい。このように磁力を用いることにより、各連結箇所が不意に外れる事態を起こりにくくすることができる。
【００５０】
上記実施形態において主軸部１２の先端部１２ａは、図１３に示すように、先細りの形状をしていてもよい。この場合、トイレットペーパーの中心部の隙間に対する主軸部１２の挿入を一層容易に行うことができる。
【００５１】
上記実施形態においては、主軸部１２の先端部１２ａが角棒状をしている場合を例示した。しかし、主軸部１２の先端部１２ａは、丸棒状をしていてもよい。例えば、主軸部１２の全体が丸棒状をしていてもよい。
【００５２】
上記実施形態においては、主軸部１２と規制部１４との連結箇所について、規制部１４に設けた穴（穴１４ａ）に主軸部１２の一部（先端部１２ａ）が挿入される場合を例示した。しかし、主軸部１２に設けた穴に規制部１４の一部を挿入することにより、主軸部１２と規制部１４とを連結してもよい。規制部１４と補強部材５０との連結箇所、及び基底部２０と補強部材５０との連結箇所についても、同様である。
【００５３】
上記実施形態においては、基底部２０が設けられた場合を例示した。しかし、基底部２０を設けることは、必須でない。基底部２０を設けない場合、アーム部３０は、一端部が壁面に接続されるとともに、他端部が支軸１０の後端に接続される。すなわち、アーム部３０は、基底部２０を介することなく、壁面に直接固定される。
【００５４】
上記実施形態においては、アーム部３０が設けられた場合を例示した。しかし、アーム部３０を設けることは、必須でない。アーム部３０を設けない場合、支軸１０の後端は、基底部２０に接続される。基底部２０及びアーム部３０の何れも設けない場合、支軸１０の後端は、壁面に接続される。すなわち、支軸１０は、基底部２０及びアーム部３０を介することなく、壁面に直接固定される。
【００５５】
上記実施形態においては、補強部材５０が設けられた場合を例示した。しかし、補強部材５０を設けることは、必須でない。補強部材５０を設けない場合、支軸１０の先端（規制部１４の先端）は、自由端となる。
【符号の説明】
【００５６】
１  トイレットペーパーホルダー
１０  支軸
１２  主軸部
１２ａ  先端部
１４  規制部
１４ａ  穴
１４ｂ  穴
２０  基底部
２０ａ  穴
３０  アーム部
４０  蓋部
４０ａ  先端
５０  補強部材
５０ａ  端部
５０ｂ  端部
９０  壁面
９２  トイレットペーパー
９３  隙間
１００  支軸
１０２  主軸部
１０４  規制部
１１０  トイレットペーパー
１１２  芯
【図１】
2018038916.tif 000003
【図２】
2018038916.tif 000004
【図３】
2018038916.tif 000005
【図４】
2018038916.tif 000006
【図５】
2018038916.tif 000007
【図６】
2018038916.tif 000008
【図７】
2018038916.tif 000009
【図８】
2018038916.tif 000010
【図９】
2018038916.tif 000011
【図１０】
2018038916.tif 000012
【図１１】
2018038916.tif 000013
【図１２】
2018038916.tif 000014
【図１３】
2018038916.tif 000015
【図１４】
2018038916.tif 000016
【図１５】
2018038916.tif 000017